(57)【要約】【課題】両コネクタハウジングが斜め嵌合されるのを防止するとともに、カム溝の突部の先端が潰れるのを阻止する【解決手段】レバー１１０は待機位置と嵌合位置とを両コネクタハウジング１５０，２１０の嵌合方向と直交する方向に移動可能とされる。レバー１１０におけるカム溝１１４の入り口寄りの溝面には、待機位置にてフォロアピン２５０と当接することでこのフォロアピン２５０がカム溝１１４の奥側へ移動するのを一時的に規制して両コネクタハウジング１５０，２１０を仮嵌合状態に留め置く突部１１９が設けられる。突部１１９は、カム溝１１４の両側の溝面に対をなし、夫々、カム溝１１４の入り口から等距離をあけて配置される。【選択図】図４
2009181719.tif 000002
【特許請求の範囲】
【請求項１】
互いに嵌合可能な一対のコネクタハウジングと、このうちの一方のコネクタハウジングに装着され、待機位置と嵌合位置とを両コネクタハウジングの嵌合方向と交差する方向にスライド可能とされるレバーとを備え、前記レバーに設けられたカム溝と他方のコネクタハウジングに設けられたフォロアピンとを係合させた状態で前記レバーを前記待機位置から前記嵌合位置へと移動させることにより、前記フォロアピンが前記カム溝の入り口側から奥側へ相対変位してカム作用が発揮され、もって前記両コネクタハウジングが正規嵌合されるようになっており、
前記レバーにおけるカム溝の入り口寄りの溝面には、前記待機位置にて前記フォロアピンと当接することでこのフォロアピンが前記カム溝の奥側へ移動するのを一時的に規制して前記両コネクタハウジングを仮嵌合状態に留め置く突部が設けられ、この突部は、前記カム溝の両側の溝面に対をなし、夫々、前記カム溝の入り口から等距離をあけて配置されていることを特徴とするコネクタ。
【請求項２】
前記レバーにおけるカム溝の両側の溝面に、前記突部へのストレート受部が設けられ、前記フォロアピンに、ストレート部が設けられており、両コネクタハウジングが仮嵌合状態に保持された場合に、前記ストレート部と前記ストレート受部が両コネクタハウジングの嵌合方向に沿って直線状に当接可能に配置されることを特徴とする請求項１に記載のコネクタ。
【発明の詳細な説明】
【技術分野】
【０００１】
本発明は、コネクタに関する。
【背景技術】
【０００２】
特許文献１には、スライド式のレバーを備えたコネクタが開示されている。このものは、互いに嵌合可能な雌雄一対のコネクタハウジングと、雌側コネクタハウジングに対して待機位置と嵌合位置との間を嵌合方向と直交する方向に移動可能に装着されるレバーとを備え、レバーに設けられたカム溝と雄側コネクタハウジングに設けられたフォロアピンとを係合させた状態でレバーを待機位置から嵌合位置へ移動させることにより、カム溝とフォロアピンとの係合によるカム作用が発揮され、両コネクタハウジングが正規嵌合状態に至るようになっている。そして、レバーにおけるカム溝の溝面のうち入り口寄りの片側面には、突部が設けられ、待機位置にてこの突部に相手のフォロアピンが当接することにより、フォロアピンのそれ以上の進入が規制され、両コネクタハウジングが仮嵌合状態に留め置かれるようになっている。さらに、レバーを嵌合位置側へ押し込むと、フォロアピンと突部との係合による移動規制状態が解除され、このとき、作業者に、フォロアピンが突部を乗り越えるときの抵抗に基づく操作フィーリングが得られるようになっている。
【特許文献１】特開２００７−２３４４２０公報（第１９図）
【発明の開示】
【発明が解決しようとする課題】
【０００３】
上記の突部はカム溝の片側面に設けられるのみであるため、フォロアピンが突部に乗り上がって押圧され、その押圧方向に雄側コネクタハウジングが位置ずれし、両コネクタハウジングが斜め嵌合されるおそれがあった。また、フォロアピンとの係合代を確保すべく突部の突出量が大きくなるため、フォロアピンによって突部の先端が潰れるおそれもあった。
【０００４】
本発明は上記のような事情に基づいて完成されたものであって、両コネクタハウジングが斜め嵌合されるのを防止するとともに、カム溝の突部の先端が潰れるのを阻止することを目的とする。
【課題を解決するための手段】
【０００５】
上記の目的を達成するための手段として、請求項１の発明は、互いに嵌合可能な一対のコネクタハウジングと、このうちの一方のコネクタハウジングに装着され、待機位置と嵌合位置とを両コネクタハウジングの嵌合方向と交差する方向にスライド可能とされるレバーとを備え、前記レバーに設けられたカム溝と他方のコネクタハウジングに設けられたフォロアピンとを係合させた状態で前記レバーを前記待機位置から前記嵌合位置へと移動させることにより、前記フォロアピンが前記カム溝の入り口側から奥側へ相対変位してカム作用が発揮され、もって前記両コネクタハウジングが正規嵌合されるようになっており、前記レバーにおけるカム溝の入り口寄りの溝面には、前記待機位置にて前記フォロアピンと当接することでこのフォロアピンが前記カム溝の奥側へ移動するのを一時的に規制して前記両コネクタハウジングを仮嵌合状態に留め置く突部が設けられ、この突部は、前記カム溝の両側の溝面に対をなし、夫々、前記カム溝の入り口から等距離をあけて配置されている構成としたところに特徴を有する。
【０００６】
請求項２の発明は、請求項１に記載のものにおいて、前記レバーにおけるカム溝の両側の溝面に、前記突部へのストレート受部が設けられ、前記フォロアピンに、ストレート部が設けられており、両コネクタハウジングが仮嵌合状態に保持された場合に、前記ストレート部と前記ストレート受部が両コネクタハウジングの嵌合方向に沿って直線状に当接可能に配置されるところに特徴を有する。
【発明の効果】
【０００７】
＜請求項１の発明＞
突部がカム溝の両側の溝面に対をなし、夫々、カム溝の入り口から等距離をあけて配置されているから、両突部がフォロアピンとほぼ同じタイミングで当接し、フォロアピンに対してその両側から略均等な押圧力を付与することになる。その結果、両コネクタハウジングの嵌合姿勢が正規に保たれ、両コネクタハウジングが斜め嵌合されるのを防止できる。また、突部がカム溝の両側の溝面に対をなしているから、片側の溝面のみに設けられるよりも夫々の突部の突出量を小さく抑えることができ、突部の先端が潰れるのを阻止できる。
【０００８】
＜請求項２の発明＞
フォロアピンが両突部を乗り越える際、両コネクタハウジングの嵌合姿勢が傾くのを有効に阻止できる。
【発明を実施するための最良の形態】
【０００９】
＜実施形態１＞
本発明の実施形態１を図１ないし図１８によって説明する。本実施形態のコネクタ１０は、ハウジング本体１１（本体部）、リテーナ５０、ランスハウジング７０、フロントホルダ９０、スライド式のレバー１１０、端子金具１３０、及びシールリング１４０を備えて構成される。ハウジング本体１１、リテーナ５０、ランスハウジング７０、フロントホルダ９０、及びレバー１１０は合成樹脂製であり、端子金具１３０は導電金属製であり、シールリング１４０はゴム製である。また、ハウジング本体１１、ランスハウジング７０、及びフロントホルダ９０によってコネクタハウジング１５０が構成されている。
【００１０】
ハウジング本体１１は、図１０ないし図１２に示すように、全体として横長矩形状をなし、端子挿入部１２とその周りを包囲する嵌合筒部１３とを備え、端子挿入部１２と嵌合筒部１３との間は相手コネクタ２００（雄型コネクタ）の相手コネクタハウジング２１０に設けられたフード部２２０が進入可能な嵌合空間１４となっている。また、端子挿入部１２の外面後端と嵌合筒部１３の内面後端との間には連結部１５が架設されている。
【００１１】
端子挿入部１２には、後方から端子金具１３０を挿入可能なキャビティ１６が設けられている。キャビティ１６は、大型の端子金具１３０を挿入可能な大キャビティ１６Ａと、小型の端子金具１３０を挿入可能な小キャビティ１６Ｂとからなり、大キャビティ１６Ａは端子挿入部１２の幅方向両端部に上下一対ずつ配置され、小キャビティ１６Ｂは端子挿入部１２の幅方向中間部に多数配置されている。
【００１２】
また、端子挿入部１２の前面の幅方向中間部にはランスハウジング７０及びリテーナ５０を収容可能な収容凹部１７が断面矩形状に開口して設けられている。収容凹部１７の奥面（底面）には小キャビティ１６Ｂの前面が開口され、収容凹部１７を挟んだ幅方向両側には大キャビティ１６Ａが配置されている。よって、小キャビティ１６Ｂの前端は大キャビティ１６Ａの前端より後方へ控えて位置するようになっている。また、左右両側に位置する大キャビティ１６Ａのうち、一方側の内壁には、小キャビティ１６Ｂの前端より前方に、フロントホルダ９０のキャビティタワー９５（後述する）が嵌合可能な上下一対のタワー組付窓１８が設けられ、他方側の内壁には、小キャビティ１６Ｂの前端より前方に、撓み可能な上下一対のランス１９が突出して設けられている。なお、キャビティ１６内に挿入される端子金具１３０は電線１６０の端末に接続されており、この電線１６０の端末にはシール栓１７０が嵌着され、このシール栓１７０がキャビティ１６の内壁に密着することでハウジング本体１１内のシールがとられている。
【００１３】
端子挿入部１２の前面には、タワー組付窓１８より上方に、収容凹部１７の一角に連通する略水平なスリット部２０が凹設されている。端子挿入部１２における収容凹部１７の奥面には、小キャビティ１６Ｂが整列する間のデッドスペースに、十字形及び下向き突形をなす複数の嵌合リブ挿入孔２１が幅方向に並んで設けられている。嵌合リブ挿入孔２１は有底であってその内部に前方から嵌合リブ２４０が嵌合可能となっている。  
端子挿入部１２の外面と連結部１５の前面が連なる部位には段差２２が設けられ、端子挿入部１２の外面のうち段差２２より前方には環状のシールリング１４０が嵌着されている。シールリング１４０は両コネクタハウジング１５０，２１０の正規嵌合時にフード部２２０の前端開口縁に当接して両コネクタハウジング１５０，２１０間のシールをとるようになっている。
【００１４】
端子挿入部１２の一方側の側面にはリテーナ挿入孔２３が縦長スリット状に開口して設けられている。このリテーナ挿入孔２３は大キャビティ１６Ａのタワー組付窓１８を横切って配置され、その内側で収容凹部１７の奥面側に連通している。また、収容凹部１７の上下両内面には、リテーナ挿入孔２３と連続する位置に、幅方向（リテーナ５０の移動方向）に沿って延びるレール溝２４が設けられている。このレール溝２４には、リテーナ５０の嵌合突部５８（後述する）が抜け止め状態に嵌合可能となっている。レール溝２４の溝面におけるリテーナ５０の挿入方向終端部には、前後で対をなすリテーナ保持突起２５（リテーナ位置決め手段）が設けられており、ここにリテーナ５０が係止されることで、リテーナ５０が仮係止位置と本係止位置とに保持されるようになっている。さらに、端子挿入部１２における収容凹部１７の奥面には、幅方向に沿って延びる第１案内リブ２６が設けられている。第１案内リブ２６は上下４段に分かれた小キャビティ１６Ｂの間に位置して上下方向（高さ方向）に複数条配置されている。
【００１５】
端子挿入部１２における収容凹部１７の上下両内面には、ランスハウジング７０を抜け止め保持するランスハウジングロック溝２７（ランスハウジング位置決め手段）が設けられ、端子挿入部１２における上下両外面には、フロントホルダ９０を抜け止め保持するフロントホルダロック溝２８が設けられている。ランスハウジングロック溝２７とフロントホルダロック溝２８は、互いに背合せ状に配置され、幅方向に長く延出する形態となっている。
【００１６】
嵌合筒部１３は、図１に示すように、外板部２９と内板部３０と双方の前後両端を連ねる前後一対の閉止板部３１からなり、外板部２９は、上下両端に位置して平行に配置され、内板部３０は、外板部２９の内側に位置して端子挿入部１２を全周に亘って包囲する筒状をなし、閉止板部３１は正面視横長略方形の外縁形状をなしている。嵌合筒部１３の上下両壁は、外板部２９とこれに対向する内板部３０との２重板構造とされ、そして、外板部２９、内板部３０、及び両閉止板部３１によって包囲される内側は、レバー１１０の装着凹部３２として構成され、外板部２９と内板部３０との間を通して嵌合筒部１３の両端に開放されている。
【００１７】
装着凹部３２のうち、内板部３０の外面、外板部２９の内面、及び両閉止板部３１の内面によって包囲される空間はレバー１１０のアーム板１１２（後述する）を挿入可能なアーム板挿入空間３３とされ、このアーム板挿入空間３３によってアーム板１１２が４方に亘って包囲されるようになっている。  
具体的には、外板部２９は略水平な平面板状をなし、両閉止板部３１の外縁４隅は外板部２９と対応して外向きに角張る形状をなしている。一方、内板部３０は、その上下両端の幅方向中間部で曲率の小さい弧を描くとともに幅方向両端部で曲率の小さい弧を描く形状をなし、そのコーナー部分（幅方向両端部）に、所定の円弧に沿った曲面３４が形成されている。この曲面３４を含む内板部３０の両側外面（装着凹部３２の内面）は、レバー１１０の操作板１１１が当接可能に対面する装着面３５となっている。
【００１８】
内板部３０の上下両端の幅方向中央部には、相手側のフォロアピン２５０が進入可能な上下一対のフォロアピン導入溝３６が前面に開口するとともに両閉止板部３１にも連通して設けられている。そして、内板部３０の両側壁の一方には、リテーナ５０の挿入を許容する縦長スリット状のリテーナ挿通孔３７が貫通して設けられ、リテーナ挿通孔３７はその内側で嵌合空間１４を介してリテーナ挿入孔２３に連通している。内板部３０の両側壁の他方には、リテーナ保持突起２５を成形する際に形成される上下一対の型抜き孔３８がリテーナ挿通孔３７と略対称に開口して設けられている。また、外板部２９の幅方向両端縁には、円弧状の指逃し部３９が切り欠いて設けられており、ここにレバー１１０を移動操作する作業者の指が進入可能となっている。
【００１９】
嵌合筒部１３における装着凹部３２の曲面３４には、相手コネクタ２００との嵌合時（両コネクタハウジング１５０，２１０の嵌合時）にコネクタハウジング１５０の嵌合姿勢が正規姿勢から傾いた不正姿勢をとっていた場合に、相手コネクタハウジング２１０の嵌合面（フード部２２０の奥面）に突成された嵌合リブ２４０と干渉することでそれ以上の嵌合動作を規制するこじり防止部４０が突設されている。こじり防止部４０は、装着凹部３２の曲面３４の前後方向中央部を覆いつつ外向きに角張るブロック状をなし、曲面３４と対応する４隅にそれぞれ設けられている。こじり防止部４０の外縁形状は閉止板部３１の４隅部の形状と対応しており、こじり防止部４０の外面は略水平に配置されてアーム板１１２の摺動面となり、こじり防止部４０の内端はリテーナ挿通孔３７と型抜き孔３８の外縁を縁取っている。
【００２０】
また、こじり防止部４０の前後方向中央部には、スリット状の溝部４１が曲面３４に到達する深さをもって切り込み形成され、ここにレバー１１０の中間リブ１２３（後述する）が進入可能となっている。溝部４１の溝幅は嵌合リブ２４０の厚さより小さく設定されており、こじり嵌合されようとした場合に、溝部４１内に嵌合リブ２４０が偶発的に入り込むことがないようにしてある。
【００２１】
続いてレバー１１０について説明する。レバー１１０は、図１７に示すように、上下方向に沿って延びる操作板１１１とこの操作板１１１の両端から幅方向に平行に突出する上下一対のアーム板１１２からなり、全体として門型をなしている。レバー１１０は、装着凹部３２の幅方向両側から組み付け可能とされ、周辺部品との干渉を回避する等の現場の状況に応じてその組み付け方向を互いに逆向きの２方向に入れ替え可能となっている。また、レバー１１０は、待機位置と嵌合位置との間を略水平にスライド移動可能となっている。操作板１１１には、側外方に大きく突出する摘み部１１３が設けられ、ここを摘み操作することでレバー１１０のスライド操作を容易に行うことができるようになっている。
【００２２】
アーム板１１２には、図４に示すように、相手側のフォロアピン２５０と係合可能なカム溝１１４が設けられている。カム溝１１４は、アーム板１１２を厚さ方向に貫通する形態であって、その入り口側に、前後方向に沿って延びることでフォロアピン２５０を導入可能な導入部１１５が設けられ、その奥側に、導入部１１５の終端から斜め奥方向に延びることでフォロアピン２５０との間にカム作用を発揮する作動部１１６が設けられている。また、作動部１１６の終端には嵌合完了後のスライド操作によっても嵌合を進行させない遊び部１１７が設けられている。カム溝１１４の内面においてアーム板１１２の厚さ方向内面側には、内側（板面方向と平行）に張り出す形態の溝縁部１１８が段付き状に設けられ、この溝縁部１１８にフォロアピン２５０の先端全周から張り出すフランジ部２５２が摺動することにより、フォロアピン２５０とカム溝１１４との係合状態が保持されるとともに嵌合抵抗に起因する両アーム板１１２の拡開動作が規制されるようになっている。
【００２３】
ここで、レバー１１０が待機位置にあるときには、レバー１１０のアーム板１１２の略先半部が装着凹部３２内に浅く進入するようになっており、その状態で相手側のフォロアピン２５０がカム溝１１４の導入部１１５に進入することにより、両コネクタハウジング１５０，２１０が仮嵌合状態に至るようになっている。また、レバー１１０のアーム板１１２の略全体を装着凹部３２内に深く進入させることにより、レバー１１０が嵌合位置に至るとともに、かかるレバー１１０の移動に伴うフォロアピン２５０とカム溝１１４の作動部１１６との係合によるカム作用によって両コネクタハウジング１５０，２１０が低操作力で正規嵌合状態に至るようになっている。なお、フォロアピン２５０の軸部２５１における径寸法はカム溝１１４の導入部１１５及び作動部１１６の幅寸法より小さく設定されている。
【００２４】
カム溝１１４の導入部１１５の終端には、レバー１１０が待機位置にあるときに、フォロアピン２５０と当接することでフォロアピン２５０が作動部１１６側へ移行するのを一時的に規制する突部１１９が設けられている。両コネクタハウジング１５０，２１０はこの突部１１９によって仮嵌合状態に保持されるようになっている。具体的には、突部１１９は、導入部１１５の幅方向両側の溝面において左右対称に対をなし、カム溝１１４の入り口（前端）から等距離をあけて配置されている。また、各突部１１９は、フォロアピン２５０の移動方向に沿って傾斜する案内斜面１２０を有するとともにその先端部が丸く切欠された形状をなしている。両突部１１９間の離間距離は対応するフォロアピン２５０の軸部２５１における径寸法より少し狭く形成され、ここをフォロアピン２５０が通過する際に、導入部１１５の両側におけるアーム板１１２が弾性的に開き変形するようになっている。
【００２５】
また、操作板１１１の内面には、図１８に示すように、アーム板１１２の内面と連なる上下の両コーナー部分に、装着凹部３２の曲面３４に沿うようにして曲面状の補強部１２１が肉盛りして設けられている。この補強部１２１は、レバー１１０が単品状態にあるときにアーム板１１２の開き止めを行うものであって、正面視略四半円弧状をなしている。そして、補強部１２１の内面には、レバー１１０が嵌合位置にあるときに装着凹部３２のこじり防止部４０が進入する逃し部１２２が凹設され、さらに操作板１１１の前後方向中央部にて逃し部１２２を前後で区画する隔壁状の中間リブ１２３が設けられている。補強部１２１は逃し部１２２によって前側に位置する前側補強部１２１Ｆと後側に位置する後側補強部１２１Ｒに分割され、これら前側補強部１２１Ｆと後側補強部１２１Ｒはそれぞれほぼ同じ厚さをもって構成されている。中間リブ１２３は、前側補強部１２１Ｆと後側補強部１２１Ｒとの間のほぼ中央に位置し、双方と同じ大きさの正面視略四半円弧状をなすとともに、双方より薄い厚さをもって構成されている。この中間リブ１２３の厚さはこじり防止部４０の溝部４１の溝幅より少し小さく設定されている。なお、補強部１２１の露出面（前側補強部１２１Ｆの前面と後側補強部１２１Ｒの後面）には、図２に示すように、補強部１２１の内縁を円弧に仕切るとともに操作板１１１とアーム板１１２の連結部位を直角に連ねる形態の肉抜き部１２４が凹設されている。
【００２６】
アーム板１１２におけるカム溝１１４より後方には、幅方向に所定間隔をあけて先端側から順に第１レバーロック部１２５及び第２レバーロック部１２６が設けられている。両レバーロック部１２５，１２６は、アーム板１１２の先端側を基端として操作板１１１側がアーム板１１２の厚さ方向に撓み変形可能となっている。そして、両レバーロック部１２５，１２６は、アーム板１１２の厚さ方向内側に配置されており、アーム板１１２の厚さ方向外側に、両レバーロック部１２５，１２６の撓み領域が確保されている。装着凹部３２の上下両端の内面には、両レバーロック部１２５，１２６と対応する位置に、レバーロック受部（図示せず）が設けられており、装着凹部３２の浅い位置でレバーロック受部に第１レバーロック部１２５が弾性係止することにより、レバー１１０が待機位置に保持され、装着凹部３２の深い位置でレバーロック受部に第２レバーロック部１２６が弾性係止することにより、レバー１１０が嵌合位置に保持されるようになっている。
【００２７】
続いて、ランスハウジング７０について説明する。ランスハウジング７０は、ハウジング本体１１の前面側に配置され、図１３ないし図１５に示すように、板状であってハウジング本体１１の収容凹部１７の形状に対応する正面視横長矩形状をなしている。ランスハウジング７０には、リテーナ５０の窓孔５１（後述する）を介して小キャビティ１６Ｂと連通する端子収容孔７１が小キャビティ１６Ｂと対応する位置毎に設けられている。端子収容孔７１の内面上端には、ランスハウジング７０の厚さ範囲内で前方へ片持ち状に突出するランス１９が設けられている。端子収容孔７１に収容された端子金具１３０は、図９に示すように、その前部に設けられた角筒状の箱部１３１に切り起こされた被係止部１３２にランス１９を引っ掛け係止することにより、端子収容孔７１内に一次的に抜け止め係止されるようになっている。
【００２８】
ランスハウジング７０には、図７に示すように、各段のランス１９より上方に、幅方向に沿って配置された複数段のステー部７２が配置され、このステー部７２とランス１９との間に、ランス１９の撓み空間７３が形成されている。ランス１９の幅方向両側外方は開放部７４として開放されており、この開放部７４に、フロントホルダ９０に設けられた複数の仕切り板９８が端子収容孔７１毎に進入可能となっている。仕切り板９８は、ランスハウジング７０の後端部に設けられた端子収容孔７１の両側壁と連続し、もって端子金具１３０の両側を仕切る隔壁を構成するようになっている。なお、ランス１９の幅方向中央部は、端子収容孔７１の幅方向中央より一側に偏心しており、その偏心側と反対側に仕切り板９８の挿入空間７５が形成され、かつ、端子収容孔７１の両側壁の端縁及びこれと対向するステー部７２には、仕切り板９８の挿入案内溝７６が切り欠いて設けられている。
【００２９】
また、ランスハウジング７０には、端子収容孔７１及びランス１９が整列する間のデッドスペースに、嵌合リブ２４０が挿通される嵌合リブ挿通孔７７が十字形及び下向き突形に貫通して設けられている。そして、ランスハウジング７０の上下両端には、ランスハウジングロック突部７８が幅方向に延出して設けられている。ランスハウジング７０の組み付け過程では、ランスハウジングロック突部７８が収容凹部１７の上下両壁を外側に撓ませながら収容凹部１７内に進入し、ランスハウジング７０の組み付け完了に伴い、ランスハウジングロック突部７８がランスハウジングロック溝２７に嵌って、収容凹部１７の上下両壁における撓み状態が解消されるようになっている。
【００３０】
ランスハウジング７０の後面には、幅方向に沿って延びる第２案内リブ７９が設けられている。第２案内リブ７９は、多段（２段以上）、詳細には上下４段に分かれた端子収容孔７１の間に位置して上下方向（高さ方向）に複数条配置され、リテーナ５０を挟んで第１案内リブ２６と対向に位置している。ランスハウジング７０の外縁一角には、側方向に突出する誤結防止リブ８０が張り出して設けられている。この誤結防止リブ８０は、図６に示すように、ランスハウジング７０が正規の組み付け姿勢である場合にハウジング本体１１のスリット部２０内に嵌合される一方、ランスハウジング７０が上下反転姿勢をとっている場合にハウジング本体１１の前面に干渉してそれ以上の組み付け動作を規制し、もってランスハウジング７０の誤組み付けを防止する役割をもっている。
【００３１】
また、ランスハウジング７０の外面には周方向に間隔をあけて複数の突起８１が設けられており、これら突起８１によってランスハウジング７０の外面と収容凹部１７の内面との間の隙間が埋まるようになっている。具体的には、突起８１は、図７に示すように、突出量の大きい本突起８２と突出量の小さい補助突起８３とからなり、本突起８２がランスハウジング７０の外縁４隅を区画する対角二辺のその４隅寄りの位置に配置され、補助突起８３がランスハウジング７０の外縁４隅から離れた辺上に配置されている。より具体的には、本突起８２はランスハウジング７０の隅部毎に２個ずつ計８個配置され、補助突起８３は長辺（上下両外面）側ではその幅方向中央を含む位置に９個ずつ上下合せて１８個配置されているとともに短辺（左右両側外面）側ではその上下方向中央を挟んだ両側に１個ずつ左右合せて４個配置されている。これら突起８１はランスハウジング７０の軸中心に対して点対称の位置関係にあり、本突起８２が設けられている一群を挟んだ両側に補助突起８３が配置されている。
【００３２】
また、本突起８２は、先端尖鋭の突形状、詳細には断面２等辺三角形状をなし、前後方向に延びるとともにランスハウジング７０の外面と収容凹部１７の内面との間の予定間隔より大きい突出量をもって構成されている。一方、補助突起８３は、本突起８２よりも肉厚であって先端湾曲の断面略半球面形状をなし、前後方向に延びるとともにランスハウジング７０の外面と収容凹部１７の内面との間の予定間隔とほぼ同じ突出量をもって構成されている。よって、本突起８２の先端部は収容凹部１７の内面に押圧されて潰れることが予定されているが、補助突起８３は収容凹部１７の内面に当接するのみであって潰れることが予定されていない。
【００３３】
続いてリテーナ５０について説明する。リテーナ５０は、ハウジング本体１１の前面側でかつランスハウジング７０より後方に配置され、図９及び図１６に示すように、ランスハウジング７０より少し薄い厚さの板状であってハウジング本体１１の収容凹部１７の形状に対応する正面視横長矩形状をなしている。リテーナ５０の後面はハウジング本体１１の収容凹部１７の奥面に当接し、リテーナ５０の前面はランスハウジング７０の前面に当接している。そして、このリテーナ５０には、後方で小キャビティ１６Ｂと連通するとともに前方で端子収容孔７１と連通する窓孔５１が設けられている。窓孔５１は、幅方向に連通状態で延びるとともに各段毎に分かれて配置され、かつ、窓孔５１の孔縁から突出する形態であって小キャビティ１６Ｂ及び端子収容孔７１と対応する位置毎に、端子金具１３０の抜け止めをなす複数の抜止部５２が設けられている。かかるリテーナ５０は、リテーナ挿通孔３７とリテーナ挿入孔２３を貫通して収容凹部１７内に進入し、この収容凹部１７内にて仮係止位置と本係止位置との間を幅方向に移動可能となっている。仮係止位置では、抜止部５２が小キャビティ１６Ｂ（詳細には小キャビティ１６Ｂの前方と対応する位置）から退避することで端子金具１３０の端子収容孔７１への挿入を許容し、本係止位置では、抜止部５２が小キャビティ１６Ｂ内に進入することで端子収容孔７１に正規挿入された端子金具１３０の箱部１３１後端と対面して端子金具１３０を二次的に抜け止め係止するようになっている。
【００３４】
また、リテーナ５０には、各段の窓孔５１の間のデッドスペースに、相手側の嵌合リブ２４０を挿通可能な嵌合リブ通し孔５３が十字形及び下向き突形に貫通して設けられている。この嵌合リブ通し孔５３は、後方で嵌合リブ挿入孔２１と連通し、前方で嵌合リブ挿通孔７７と連通している。そして、リテーナ５０の幅方向の一方端部には、フロントホルダ９０のキャビティタワー９５が嵌合可能な上下一対のタワー挿入孔５４が設けられている。タワー挿入孔５４を区画する部分はリテーナ５０の操作部５５とされ、リテーナ５０の全幅は、操作部５５が設けられる分、ランスハウジング７０より側方に張り出している。この操作部５５は組み付けによってハウジング本体１１のリテーナ挿入孔２３内に進入し、これにより、タワー挿入孔５４がタワー組付窓１８に連通するようになっている。なお、キャビティタワー９５はタワー挿入孔５４に遊挿されており、このキャビティタワー９５がタワー挿入孔５４を貫通した状態でリテーナ５０が仮係止位置と本係止位置との間を移動可能となっている。
【００３５】
また、リテーナ５０の後面には、各段の窓孔５１を挟んだ上下位置に、ハウジング本体１１の第１案内リブ２６と係合可能な複数条の第１案内溝５６が幅方向に延出して設けられている一方、リテーナ５０の前面には、同じく各段の窓孔５１を挟んだ上下位置に、ランスハウジング７０の第２案内リブ７９と係合可能な複数条の第２案内溝５７が幅方向に延出して設けられている。第１案内溝５６と第２案内溝５７は背合せ状に位置しており、それぞれほぼ同じ高さ位置に配置されている。
【００３６】
リテーナ５０の上下両端には、ハウジング本体１１のレール溝２４と係合可能な上下一対の嵌合突部５８が幅方向に延出して設けられている。嵌合突部５８にはレール溝２４内に嵌合可能なレール突起５９が設けられ、これらレール溝２４とレール突起５９が凹凸嵌合することにより、リテーナ５０がハウジング本体１１に抜け止め保持されるようになっている。また、嵌合突部５８には、リテーナ５０の挿入方向先端部に、その先端側から順に第１係止溝６０と第２係止溝６１が設けられている。第１係止溝６０と第２係止溝６１はそれぞれ前後一対ずつ設けられ、第１係止溝６０がリテーナ保持突起２５に弾性的に嵌合することでリテーナ５０が仮係止位置に留め置かれ、第２係止溝６１がリテーナ保持突起２５に弾性的に嵌合することでリテーナ５０が本係止位置に留め置かれるようになっている。
【００３７】
続いてフロントホルダ９０について説明する。フロントホルダ９０は、全体としてキャップ状をなし、図８及び図９に示すように、ランスハウジング７０の前面に配置されてランス１９の前方を覆う平板状の前壁部９１と、前壁部９１の周縁から後方に突出して端子挿入部１２に外嵌される筒状の周壁部９２とからなる。前壁部９１には、ランスハウジング７０の端子収容孔７１と対応する位置毎に、相手コネクタ２００に装着された雄端子金具２３０のタブ２３１を前方から受け入れ可能な複数のタブ挿通孔９３が設けられている。また、前壁部９１には、嵌合リブ２４０を挿入可能な嵌合リブ受入孔９４が十字形及び下向き突形に貫通して設けられている。組み付け状態においては、前方から順に、嵌合リブ受入孔９４、嵌合リブ挿通孔７７、嵌合リブ通し孔５３、嵌合リブ挿入孔２１が連通状態で並んで位置するようになっている。
【００３８】
また、前壁部９１には、その幅方向の一方端部から後方へ上下で対をなしつつ大きく突出するとともに前方へも小さく突出する角筒状のキャビティタワー９５が設けられている。キャビティタワー９５は、タワー組付窓１８とタワー挿入孔５４を貫通し、ハウジング本体１１の大キャビティ１６Ａと連通する端子保持孔９６を有している。端子保持孔９６の内面には、大型の端子金具１３０を抜け止め係止するランス１９が撓み可能に設けられている。また、前壁部９１の後面には、その幅方向の他方端部に、ランス１９を有する大キャビティ１６Ａの先端部を一括して収容可能な逃し窓９７が設けられている。
【００３９】
そして、前壁部９１の後面には、各タブ挿通孔９３の側方に、複数の仕切り板９８が後方へ突出して設けられている。仕切り板９８は、厚さの薄い縦板形状をなし、組み付けによって端子収容孔７１の両側壁とともに端子金具１３０間の隔壁を構成することにより、ランス１９の幅寸法を大きく確保できるようになっている。周壁部９２の上下両内面には、幅方向に間隔をあけて、複数のフロントホルダロック突部１０１が設けられており、このフロントホルダロック突部１０１がフロントホルダロック溝２８に弾性的に嵌合することにより、フロントホルダ９０がハウジング本体１１に抜け止め保持されるようになっている。
【００４０】
次に、本実施形態のコネクタ１０の作用を説明する。  
コネクタ１０を組み上げるにあたり、まずハウジング本体１１の収容凹部１７内に前方からランスハウジング７０を嵌合させ、ランスハウジングロック突部７８とランスハウジングロック溝２７との係止作用によってランスハウジング７０をハウジング本体１１に位置決め状態で抜け止め保持する。ランスハウジング７０の組み付けにより、図６及び図７に示すように、本突起８２の先端部が収容凹部１７の内面で押し潰されるとともに、補助突起８３の先端部が収容凹部１７の内面に当接し、もってランスハウジング７０が軸周りに傾くことなく正規姿勢で組み付けられる。
【００４１】
続いて、リテーナ５０を組み付け、もって窓孔５１の部分をリテーナ挿通孔３７からリテーナ挿入孔２３を経て収容凹部１７内に収容させるとともに、操作部５５をリテーナ挿通孔３７に収容させ、かつ、第１係止溝６０とリテーナ保持突起２５との係止作用によって、リテーナ５０を仮係止位置に保持させる。リテーナ５０の組み付けにより、リテーナ５０の前面とランスハウジング７０の後面が互いに当り合い、リテーナ５０の後面とハウジング本体１１の収容凹部１７の奥面が互いに当り合うようになっている。次いで、フロントホルダ９０を組み付け、前壁部９１によってランスハウジング７０の前面を覆うとともに、キャビティタワー９５をタワー挿入孔５４とタワー組付窓１８に貫通させて大キャビティ１６Ａと連通させ、かつ、フロントホルダロック突部１０１とフロントホルダロック溝２８との係止作用によってフロントホルダ９０をハウジング本体１１に位置決め状態で抜け止め保持する。フロントホルダ９０に組み付けにより、端子挿入部１２の幅方向中間部では、前方から順に、タブ挿通孔９３、端子収容孔７１、窓孔５１、小キャビティ１６Ｂが並んで位置することとなる。
【００４２】
フロントホルダ９０の組み付け後、図９に示すように、キャビティ１６内に後方から端子金具１３０を挿入する。このとき、小型の端子金具１３０の箱部１３１は、小キャビティ１６Ｂから窓孔５１を経て端子収容孔７１内に収容されるとともに、タブ挿通孔９３の後面孔縁に当接して前止めされ、かつ、ランス１９によって一次的に抜け止め係止される。
【００４３】
また、上記した組み付け作業と前後してレバー１１０を組み付ける。組み付けに際し、両アーム板１１２を装着凹部３２のアーム板挿入空間３３に挿入し、装着凹部３２の浅い位置で第１レバーロック部１２５をレバーロック受部に係止させることにより、レバー１１０を待機位置に保持させる。待機位置では、カム溝１１４の入り口がフォロアピン導入溝３６と連通してハウジング本体１１の前端に臨み、フォロアピン２５０を受け入れ可能な状態となる。また、端子挿入部１２の外面にシールリング１４０を嵌着しておく。
【００４４】
全ての端子金具１３０を挿入したら、続いて、相手コネクタハウジング２１０のフード部２２０内にコネクタハウジング１５０を浅く嵌合させる。すると、図４に示すように、相手コネクタ２００のフォロアピン２５０がカム溝１１４の入り口から導入部１１５内に進入し、さらにフォロアピン２５０が幅方向両側から一対の突部１１９とほぼ同じタイミングで当接することにより、いったん嵌合動作が規制されて両コネクタハウジング１５０，２１０が仮嵌合状態に留め置かれる。その状態で、レバー１１０の摘み部１１３を摘んで嵌合位置へ向かって押し込む。すると、図５に示すように、フォロアピン２５０が両突部１１９をほぼ同時に乗り越えて作動部１１６側に移行し、さらなるレバー１１０の押し込み操作により、フォロアピン２５０と作動部１１６の溝面とによるカム作用によって両コネクタハウジング１５０，２１０が正規嵌合状態に至るようになる。なお、両コネクタハウジング１５０，２１０が仮嵌合状態を解除する際、作業者にはフォロアピン２５０が両突部１１９を乗り越える際の抵抗に起因する操作フィーリングを得ることができる。
【００４５】
また、両コネクタハウジング１５０，２１０の嵌合過程では、フード部２２０がハウジング本体１１の嵌合空間１４に進入するとともに、嵌合リブ２４０が嵌合リブ受入孔９４、嵌合リブ挿通孔７７、嵌合リブ通し孔５３、及び嵌合リブ挿入孔２１を串刺し状態で貫通して行き、その嵌合動作が案内される。レバー１１０が嵌合位置に到達して両コネクタハウジング１５０，２１０が正規嵌合されると、シールリング１４０によって両コネクタハウジング１５０，２１０間のシールがとられるとともに、両端子金具１３０，２３０が正規深さで接続して互いの導通がとられる。また、レバー１１０の操作板１１１が装着凹部３２の装着面３５に当接するとともに、補強部１２１の逃し部１２２内に装着凹部３２のこじり防止部４０が嵌合状態で進入し、かつ、中間リブ１２３がこじり防止部４０の溝部４１内に進入して配置される。
【００４６】
ところで、フード部２２０内に突出するタブ２３１は嵌合リブ２４０によって保護状態に置かれているため、コネクタハウジング１５０の嵌合姿勢が正規姿勢から傾いていると、通常、ハウジング本体１１の前端、詳細には嵌合筒部１３の前端隅部と嵌合リブ２４０が干渉してタブ２３１の変形は阻止される。しかし、コネクタハウジング１５０が正規姿勢から傾き、かつ装着凹部３２の曲面３４に沿って嵌合リブ２４０が進入可能な位置関係にある不正姿勢をとっている場合に、仮にこじり防止部４０が設けられていないと、図３の参考図で示すように、嵌合リブ２４０が誤って装着凹部３２内に進入し、嵌合筒部１３の前端隅部とタブ２３１が干渉してタブ２３１が変形するおそれがある。しかるに本実施形態においては、装着凹部３２の曲面３４にこじり防止部４０が設けられているため、コネクタハウジング１５０が不正姿勢をとっていると、図２に示すように、嵌合リブ２４０が装着凹部３２内に進入する前にこじり防止部４０と干渉することとなり、こじりが発生するのを確実に阻止できるようになっている。
【００４７】
以上説明したことから明らかなように本実施形態によれば、次の効果を奏し得る。  
操作板１１１がアーム板１１２と連なるコーナー部分に補強部１２１が設けられているから、レバー１１０の強度が高められる。一方、補強部１２１と対応して装着凹部３２の装着面３５に曲面３４が形成されるため、コネクタハウジング１５０の両端コーナー部分に、曲面３４に沿った凹みが生じ、コネクタハウジング１５０が不正姿勢をとって嵌合されようとすると、この凹みに嵌合リブ２４０等の相手側コネクタの突出部分が進入して、端子金具１３０がこじられて変形するおそれがある。しかし本実施形態によれば、装着凹部３２の曲面３４にこじり防止部４０が突設されているため、上記のような凹みが生じることはなく、コネクタ嵌合時におけるこじりを防止できる。しかも、補強部１２１にこじり防止部４０が進入可能な逃し部１２２が凹設されているから、こじり防止部４０によって補強部１２１全体が喪失されるのを回避でき、レバー１１０の強度が低下するのを阻止できる。また、こじり防止部４０がハウジング本体１１の内側に設けられているため、ハウジング本体１１の外側に設けたときに生じるコネクタの大型化を防止することができる。
【００４８】
また、こじり防止部４０には溝部４１が設けられ、補強部１２１の逃し部１２２には溝部４１内に進入可能な中間リブ１２３が設けられているから、この中間リブ１２３と補強部１２１によってレバー１１０の強度が低下するのを確実に阻止できる。  
また、溝部４１の溝幅が相手側の嵌合リブ２４０の肉厚より小さくなっているから、溝部４１内に誤って嵌合リブ２４０が入り込むことはなく、コネクタ嵌合時におけるこじりをより確実に防止できる。
【００４９】
また、突部１１９がカム溝１１４の両側の溝面に対をなし、夫々、カム溝１１４の入り口から等距離をあけて配置されているから、両突部１１９がフォロアピン２５０とほぼ同じタイミングで当接し、フォロアピン２５０に対してその両側から略均等な押圧力を付与することができる。その結果、両コネクタハウジング１５０，２１０の嵌合姿勢が正規姿勢に保たれ、両コネクタハウジング１５０，２１０が斜め嵌合されるのを防止できる。また、突部１１９がカム溝１１４の両側の溝面に対をなしているから、片側の溝面のみに設けられるよりも夫々の突部１１９の突出量を小さく抑えることができ、突部１１９の先端が潰れるのを阻止できる。
【００５０】
また、ハウジング本体１１の収容凹部１７にランスハウジング７０が収容されると、ランスハウジング７０の外面と収容凹部１７の内面との間で本突起８２が潰れた状態で配置されるから、両面間の隙間が埋められてがた付きが防止される。そして、本突起８２とは別に突出量の小さい補助突起８３が設けられ、この補助突起８３の先端が対向する相手側の収容凹部１７の内面と当接可能に配置されるから、本突起８２の潰れ量がこの本突起８２と補助突起８３の高さ寸法の差で規定されることとなり、本突起８２の潰れ量にばらつきが生じるのを回避できる。しかも、補助突起８３の潰れは予定されていないから、組み付け荷重の増加が抑えられて、作業性が良好となる。
【００５１】
また、本突起８２と補助突起８３が互いに離間して配置されているから、本突起８２が潰れたときに、その潰れかすを本突起８２と補助突起８３との間に逃すことができる。この場合、本突起８２と補助突起８３との間には潰しかすを逃がすだけの十分な隙間があるため、潰しかすが補助突起８３に付着することはない。したがって、潰しかすの補助突起８３への付着が原因となって、補助突起８３と本突起８２との高さ寸法の差が変化してしまうことがない。
【００５２】
また、本突起８２が収容凹部１７及びランスハウジング７０における四つの隅部の近傍でかつこの四つの隅部を挟む位置に配置されているから、成形時に反り等の影響を受け難く寸法精度を出し易い隅部において、がた付きが抑えられ、がた付き抑制の精度及び信頼性が高められる。もっとも、本突起８２は四つの隅部のうちの少なくとも一つの隅部の近傍でかつこの隅部を挟む位置に配置されていればよい。
【００５３】
また、本突起８２と補助突起８３は、ランスハウジング７０の周方向の全体に亘って設置されている必要はない。例えば、ランスハウジング７０の上下方向のがた付きをなくしたい場合には本突起８２と補助突起８３はランスハウジング７０の上下両面のみに設置され、ランスハウジング７０の左右方向のがた付きをなくしたい場合には本突起８２と補助突起８３はランスハウジング７０の左右両面のみに設置されるものであってもよい。また例えば、ランスハウジング７０の上方へのがた付きをなくしたい場合には本突起８２と補助突起８３はランスハウジング７０の上面のみに設置され、ランスハウジング７０の右方へのがた付きをなくしたい場合には本突起８２と補助突起８３はランスハウジング７０の右面のみに設置されるものであってもよい。要は、本突起８２と補助突起８３は、ランスハウジング７０の外面と収容凹部１７の内面との間の隙間を埋めたいとするがた詰め要求方向と対向する面のみに設置されていればよい。こうすると、がた付きが確実に抑えられるものありながら、組み付け荷重の増加がより小さく抑えられる。
【００５４】
また、仮に、ランスハウジング７０の外面と収容凹部１７の内面との間に別部品を有する等の理由により両面間の距離が遠くなる隙間領域と、両面間の距離が近い近接領域とが形成され、つまり両面間の距離が一様でない場合には、本突起８２と補助突起８３は近接領域に設置されていることが好ましい。組み付け荷重の増加がより小さく抑えられるのに加え、本突起８２と補助突起８３の各突出量も小さく抑えられるからである。
【００５５】
また、ハウジング本体１１とランスハウジング７０との間のがた付きが本突起８２及び補助突起８３によって抑えられるから、ランスハウジング７０に収容される端子金具１３０のアライメントの狂いを防止できる。  
また、ランスハウジング７０の後面とリテーナ５０の前面が互いに当接して配置されているから、ランスハウジング７０とリテーナ５０との間にハウジング本体１１の前端部が介在することはなく、その分、コネクタ１０の前後長を短く縮められる。
【００５６】
また、リテーナ５０がリテーナ保持突起２５によってハウジング本体１１に位置決めされ、ランスハウジング７０に位置決めされないから、万一、ランスハウジング７０がハウジング本体１１に対して正規の組付位置から位置ずれしていても、リテーナ５０のハウジング本体１１への組付位置を正規位置に保てる。その結果、本係止位置にてリテーナ５０の抜止部５２を端子金具１３０の箱部１３１の後端に確実に正対させることができ、リテーナ５０による係止機能の信頼性を確保できる。
【００５７】
また、ランスハウジング７０がランスハウジングロック溝２７によってハウジング本体１１に位置決めされるから、ランスハウジング７０とリテーナ５０が当接するという事情があっても、ランスハウジング７０がリテーナ５０の移動に追従変位することはなく、リテーナ５０の移動操作の安定性を確保できる。
【００５８】
また、リテーナ５０の移動時にランスハウジング７０の第２案内リブ７９がリテーナ５０の第２案内溝５７に沿って摺動するから、リテーナ５０の移動操作を円滑に行うことができるとともに、リテーナ５０の組み付け後は、第２案内リブ７９が第２案内溝５７に嵌合することで、リテーナ５０とランスハウジング７０が位置ずれするのを防止できる。
【００５９】
また、リテーナ５０の移動時にハウジング本体１１の第１案内リブ２６がリテーナ５０の第１案内溝５６に沿って摺動するから、リテーナ５０の移動操作をより円滑に行うことができるとともに、リテーナ５０の組み付け後は、第１案内リブ２６が第１案内溝５６に嵌合することで、リテーナ５０とハウジング本体１１が位置ずれするのを防止できる。またこのようにリテーナ５０がハウジング本体１１に位置決めされると、リテーナ５０に追従してランスハウジング７０が位置決めされる。
【００６０】
＜実施形態２＞
次に、本発明の実施形態２を図１９ないし図２１によって説明する。実施形態２では、カム溝１１４の導入部１１５の形状が実施形態１と異なるが、その他は実施形態１と同様である。したがって、実施形態１と構造上の同一部位には同一符号を付し、重複する説明は省略する。
【００６１】
レバー１１０のカム溝１１４には、導入部１１５の幅方向両側の溝面に、前後方向に直線状に延びる内面を有する一対のストレート受部１２７が溝幅を狭める方向に肉盛りして設けられている。両ストレート受部１２７の間は、長さ方向（前後方向）の全長に亘って一定距離に保たれている。このストレート受部１２７は、カム溝１１４の深さ方向手前側に配置され、カム溝１１４の入り口から離間した端部に、一対の突部１１９が内向きに突出して設けられている。両突部１１９はカム溝１１４の入り口から等距離をあけて配置され、その形状等は実施形態１と同様である。
【００６２】
一方、相手側のフォロアピン２５０は、円柱状の軸部２５１とその先端全周から周方向に張り出すフランジ部２５２とからなり（この点は実施形態１も同様）、さらにフランジ部２５２の直下方に、幅方向両端部を抉ることで前後方向に直線状に延びる外面を有する首状のストレート部２５６が設けられている。ストレート部２５６の幅寸法は両ストレート受部１２７の離間距離にほぼ等しく設定されている。
【００６３】
したがって、両コネクタハウジング１５０，２１０が浅く嵌合されて仮嵌合状態に至ると、フォロアピン２５０がカム溝１１４の導入部１１５内に進入するが、このとき、ストレート部２５６とストレート受部１２７が嵌合方向に沿って直線状に当り合うことにより、両コネクタハウジング１５０，２１０の嵌合姿勢が軸部２５１周りに回動して傾くのを防止できる。また、レバー１１０の嵌合位置へのスライド操作によってフォロアピン２５０が両突部１１９を乗り越える際、ストレート部２５６とストレート受部１２７が互いに摺接することでフォロアピン２５０の移動案内がなされるとともに、ストレート部２５６が両突部１１９と摺動して両側から略均等な押圧力を付与されるから、このときにコネクタハウジング１５０の嵌合姿勢が傾くのを有効に阻止できる。すなわち、カム溝１１４の導入部１１５から突部１１９の間にストレート受部１２７を設けることにより、フォロアピン２５０がカム溝１１４に挿入されて、突部１１９に接する間のコネクタ嵌合方向に沿った直線状の挿入軌跡を設けることができる。この挿入軌跡は、コネクタ嵌合（フォロアピン２５０のカム溝１１４への挿入）スタート時にのみ作用する。
【００６４】
＜実施形態３＞
図２２及び図２３は本発明の実施形態３を示す。  
実施形態３では、実施形態２と違って、ストレート受部１２７がカム溝１１４の深さ方向奥側に配置され、ストレート部２５６がフランジ部２５２から離れた軸部２５１の高さ方向中央部に配置されている。その他は、実施形態２と同様である。
【００６５】
＜他の実施形態＞
本発明は上記記述及び図面によって説明した実施形態に限定されるものではなく、例えば次のような実施形態も本発明の技術的範囲に含まれる。  
（１）こじり防止部は、両コネクタハウジングのこじり嵌合を防止できれば、その形状は任意である。  
（２）こじり防止部から溝部を省略するとともに、補強部から中間リブを省略してもよい。  
（３）突起（本突起と補助突起）は収容凹部の内面に設けられてもよい。  
（４）突起（本突起と補助突起）はランスハウジングの外面と収容凹部の内面の両方に混在していてもよい。  
（５）突起（本突起と補助突起）はフロントホルダの内面と端子挿入部の外面の少なくともいずれか一方に設けられていてもよい。  
（６）アウタハウジングの収容凹部にインナハウジングが収容されるコネクタの構成である場合、突起（本突起と補助突起）は、アウタハウジングの収容凹部の内面とインナハウジングの外面の少なくともいずれか一方に設けられていてもよい。  
（７）突起（本突起と補助突起）が係合する相手側面は平面ではなく、この突起を嵌合可能な溝状をなしていてもよい。これにより、突起が位置決め状態で保持される。  
（８）コネクタハウジングからフロントホルダを省略してもよい。  
（９）第１及び第２案内リブ、第１及び第２案内溝は無くてもよい。  
（１０）ハウジング本体とランスハウジングは、雄端子金具を装着可能な雄側コネクタハウジングを構成するものであってもよい。  
（１１）レバーは、雄端子金具を装着可能な雄側コネクタハウジングに装着されてもよい。  
（１２）実施形態２及び実施形態３では、ストレート受部がカム溝の深さ方向の全体に亘って配置され、ストレート部が軸部の高さ方向の全体に亘って配置されるものであってもよい。  
（１３）カム溝は有底溝として構成されてもよい。  
（１４）本発明は、非防水タイプのコネクタにも適用可能である。
【図面の簡単な説明】
【００６６】
【図１】本発明の実施形態１において、コネクタハウジングの斜視図
【図２】コネクタハウジングが不正姿勢をとっている場合に、こじり防止部によってこじりが防止された状態を示す正面図
【図３】コネクタハウジングが不正姿勢をとっている場合に、こじりが発生する状態を示す参考図
【図４】フォロアピンがカム溝の導入部され、両コネクタハウジングが仮嵌合状態に留め置かれた状態を示す要部破断平面図
【図５】フォロアピンが突部を乗り越え、仮嵌合状態が解除された状態を示す要部破断平面図
【図６】ハウジング本体の収容凹部にランスハウジングを嵌め入れた状態を示す正面図
【図７】図６のＡ部拡大図
【図８】コネクタの正面図
【図９】図８のＢ−Ｂ断面図
【図１０】ハウジング本体の縦断面図
【図１１】ハウジング本体の横断面図
【図１２】ハウジング本体の側面図
【図１３】ランスハウジングの正面図
【図１４】ランスハウジングの背面図
【図１５】ランスハウジングの側面図
【図１６】リテーナの正面図
【図１７】レバーの縦断面図
【図１８】レバーの側面図
【図１９】実施形態２において、フォロアピンがカム溝の導入部され、両コネクタハウジングが仮嵌合状態に留め置かれた状態を示す要部破断平面図
【図２０】フォロアピンが突部を乗り越え、仮嵌合状態が解除された状態を示す要部破断平面図
【図２１】フォロアピンを拡大した相手コネクタハウジングの正面図
【図２２】実施形態３において、フォロアピンが突部を乗り越え、仮嵌合状態が解除された状態を示す要部拡大平面図
【図２３】フォロアピンの拡大正面図
【符号の説明】
【００６７】
１０…コネクタ
１１…ハウジング本体
１３…嵌合筒部
１６…キャビティ
１７…収容凹部
１９…ランス
２５…リテーナ保持突起
２６…第１案内リブ
２７…ランスハウジングロック溝
３２…装着凹部
３４…曲面
３５…装着面
４０…こじり防止部
４１…溝部
５０…リテーナ
５２…抜止部
５６…第１案内溝
５７…第２案内溝
７０…ランスハウジング
７１…端子収容孔
７９…第２案内リブ
８１…突起
８２…本突起
８３…補助突起
９０…フロントホルダ
１１０…レバー
１１１…操作板
１１２…アーム板
１１４…カム溝
１１５…導入部
１１９…突部
１２１…補強部
１２２…逃し部
１２３…中間リブ
１３０…端子金具
１５０…コネクタハウジング
２００…相手コネクタ
２１０…相手コネクタハウジング
２２０…フード部
２３０…雄端子金具
２３１…タブ
２５０…フォロアピン
２５１…軸部
【図１】
2009181719.tif 000003
【図２】
2009181719.tif 000004
【図３】
2009181719.tif 000005
【図４】
2009181719.tif 000006
【図５】
2009181719.tif 000007
【図６】
2009181719.tif 000008
【図７】
2009181719.tif 000009
【図８】
2009181719.tif 000010
【図９】
2009181719.tif 000011
【図１０】
2009181719.tif 000012
【図１１】
2009181719.tif 000013
【図１２】
2009181719.tif 000014
【図１３】
2009181719.tif 000015
【図１４】
2009181719.tif 000016
【図１５】
2009181719.tif 000017
【図１６】
2009181719.tif 000018
【図１７】
2009181719.tif 000019
【図１８】
2009181719.tif 000020
【図１９】
2009181719.tif 000021
【図２０】
2009181719.tif 000022
【図２１】
2009181719.tif 000023
【図２２】
2009181719.tif 000024
【図２３】
2009181719.tif 000025